(57)【要約】【課題】断熱部材をスクロール部に簡易に固定する。【解決手段】熱交換器２０の後方には、第１フレーム５０とその後方に第２フレーム６０とが配置されている。そして、第１フレーム５０のスクロール部５０ｂの裏面には断熱部材７０が取り付けられている。断熱部材７０は、スクロール部５０ｂと第２フレーム６０とで挟持されることによって、スクロール部５０ｂに固定されている。【選択図】図２
2014070761.tif 000002
【特許請求の範囲】
【請求項１】
吸込口から吹出口に至る空気流路に配置された熱交換器を備えた空調室内機であって、
前記熱交換器を通過した空気が前記吹出口に向かって流れるスクロール部を有する第１フレームと、
前記第１フレームの後方に配置される第２フレームと、
前記スクロール部の裏面に配置される断熱部材とを備え、
前記断熱部材が前記スクロール部と前記第２フレームとによって挟持されることを特徴とする空調室内機。
【請求項２】
前記第１フレームと前記第２フレームとによって、前記空調室内機の下部に吸込口が形成されていることを特徴とする請求項１に記載の空調室内機。
【請求項３】
前記第２フレームは、前記断熱部材に向かって突出し且つ前記吸込口の長手方向に離れて配置された複数の突出部を有しており、
前記断熱部材は、前記スクロール部の裏面と前記突出部とによって挟持されることを特徴とする請求項２に記載の空調室内機。
【請求項４】
前記断熱部材には、前記第２フレームに対向する凹部が形成されており、
前記突出部は前記凹部内に配置されることを特徴とする請求項３に記載の空調室内機。
【請求項５】
前記第１フレーム及び前記第２フレームの少なくとも一方は、前記断熱部材を位置決めするための位置決め部を有していること特徴とする請求項１〜４のいずれか１項に記載の空調室内機。
【発明の詳細な説明】
【技術分野】
【０００１】
本発明は、空調室内機に関する。
【背景技術】
【０００２】
特許文献１には、上部に吸込口が形成され、下部に吹出口が形成されたケーシングと、ケーシング内に収納された熱交換器及び室内ファンとを備えた空調室内機が開示されている。吸込口から吸い込まれた空気は、熱交換器を通過した後、スクロール部（底フレーム）に沿って流れ、吹出口から吹き出される。
【０００３】
上記空調室内機において、冷房運転時に、低温の空気がスクロール部に沿って流れると、スクロール部が冷却される。ここで、冷却されたスクロール部と、スクロール部の裏面側の空気との温度差が生じると、スクロール部の裏面に結露が生じる。そこで、特許文献１では、スクロール部の裏面に結露防止用の断熱部材が接着されている。
【先行技術文献】
【特許文献】
【０００４】
【特許文献１】特開２００１−１１６３４６号公報
【発明の概要】
【発明が解決しようとする課題】
【０００５】
しかし、断熱部材を接着剤等で接着すると、スクロール部に対する断熱部材の位置決めが難しい。また、断熱部材をスクロール部の裏面に固定する他の方法として、ネジ止めや貼付などが採用されているが、ネジ止めによる固定では、断熱部材を複数箇所でネジ止めする必要があるため、固定工程が煩雑となる。また、貼付による固定では、接着剤による接着と同様に、スクロール部に対する断熱部材の位置決めが難しい。
【０００６】
そこで、本発明は、断熱部材をスクロール部に簡易に固定することができる空調室内機を提供することを目的とする。
【課題を解決するための手段】
【０００７】
第１の発明に係る空調室内機は、吸込口から吹出口に至る空気流路に配置された熱交換器を備えた空調室内機であって、前記熱交換器を通過した空気が前記吹出口に向かって流れるスクロール部を有する第１フレームと、前記第１フレームの後方に配置される第２フレームと、前記スクロール部の裏面に配置される断熱部材とを備え、前記断熱部材が前記スクロール部と前記第２フレームとによって挟持される。
【０００８】
この空調室内機では、スクロール部の裏面に配置される断熱部材をスクロール部と第２フレームとで挟持することにより、断熱部材をスクロール部に簡易に固定することができる。
【０００９】
第２の発明に係る空調室内機は、第１の発明において、前記第１フレームと前記第２フレームとによって、前記空調室内機の下部に吸込口が形成されている。
【００１０】
この空調室内機では、第１フレーム及び第２フレームにより吸込口を簡易に且つ所望の形状に形成することができる。
【００１１】
第３の発明に係る空調室内機は、第２の発明において、前記第２フレームは、前記断熱部材に向かって突出し且つ前記吸込口の長手方向に離れて配置された複数の突出部を有しており、前記断熱部材は、前記スクロール部の裏面と前記突出部とによって挟持される。
【００１２】
この空調室内機では、第２フレームの突出部が吸込口の長手方向に離れて配置され、突出部が吸込口全体を塞がない。そのため、吸込口の長手方向全体に突出部が配置されている場合に比べて、室内機内部へ吸い込まれる気流が抵抗を受けるのを抑制できる。
【００１３】
第４の発明に係る空調室内機は、第３の発明において、前記断熱部材には、前記第２フレームに対向する凹部が形成されており、前記突出部は前記凹部内に配置される。
【００１４】
この空調室内機では、突出部が断熱部材の凹部に嵌まることによって突出部のずれやガタつきを防止できる。また、支持部が凹部の深さ方向に移動することで凹部の深さが深くなっても、平面に新たに溝が形成される場合に比べて、外観への影響が小さい。さらに、凹部と突出部とが略同じ大きさである場合は、突出部の位置決めを行うことができる。
【００１５】
第５の発明に係る空調室内機は、第１〜第４の発明において、前記第１フレーム及び前記第２フレームの少なくとも一方は、前記断熱部材を位置決めするための位置決め部を有している。
【００１６】
この空調室内機では、位置決め部によって、断熱部材の上記フレームに対する位置決めを簡易に行うことができる。
【発明の効果】
【００１７】
以上の説明に述べたように、本発明によれば、以下の効果が得られる。
【００１８】
第１の発明では、断熱部材をスクロール部と第２フレームとで挟持することにより、断熱部材をスクロール部に簡易に固定することができる。
【００１９】
第２の発明では、第１フレーム及び第２フレームにより吸込口を簡易に且つ所望の形状に形成することができる。
【００２０】
第３の発明では、第２フレームの突出部が吸込口の長手方向に離れて配置されるので、吸込口全体が突出部によって塞がれない。そのため、突出部が吸込口の長手方向全体に配置されている場合に比べて、室内機内部へ吸い込まれる気流が抵抗を受けるのを抑制できる。
【００２１】
第４の発明では、第２フレームの突出部が断熱部材の凹部に嵌まることにより、突出部のずれやガタつきを防止できる。また、突出部により断熱部材の凹部の深さが深くなっても、平面に新たに溝が形成される場合に比べて、外観に相違が生じにくい。さらに、凹部と突出部とが略同じ大きさである場合は、突出部の位置決めを行うことができる。
【００２２】
第５の発明では、第１フレーム及び前記第２フレームの少なくとも一方の位置決め部によって、断熱部材の上記フレームに対する位置決めを簡易に行うことができる。
【図面の簡単な説明】
【００２３】
【図１】本発明の第１実施形態に係る空調室内機の斜視図である。
【図２】空調室内機の断面図であり、図１のII−II線に沿った図である。
【図３】（ａ）は第１フレーム及び第２フレームの構成を概略的に示した模式断面図であり、（ｂ）は第１フレーム及び熱交換器の位置関係を示す正面図である。
【図４】第１フレーム、断熱部材及び第２フレームの分解斜視図である。
【図５】第１フレームに断熱部材を取り付けた状態の背面図である。
【図６】第１フレームに第２フレームを装着したときの状態を示す斜視図である。
【図７】（ａ）は第１フレームに第２フレームを装着したときの状態を示す底面図であり、（ｂ）は（ａ）に示す断熱部材の突出部周辺の拡大図である。
【発明を実施するための形態】
【００２４】
以下に、本発明の実施形態について、図１〜７を参照しつつ説明する。
【００２５】
（空調室内機の全体構成）
空調室内機１００は、図１，２に示すように、壁掛けタイプであり、本体ケーシング１０と、本体ケーシング１０の内部に配置された熱交換器２０、室内ファン３０、フィルタ４０、第１フレーム５０及び第２フレーム６０とを備えている。また、第１フレーム５０の裏面には、結露防止用の断熱部材７０が取り付けられている。
【００２６】
[本体ケーシング]
本体ケーシング１０は、図１，２に示すように、前面グリル１０ａと、前面パネル１０ｂと、取付板１０ｃとを有し、取付板１０ｃを介して設置側壁１１０に取り付けられる（図３参照）。前面パネル１０ｂは、前面グリル１０ａの前面を覆っており、上端が前面グリル１０ａに回動自在に支持され、ヒンジ式に動作することができる。取付板１０ｃは、本体ケーシング１０の後端部に配置されている。
【００２７】
図２に示すように、前面グリル１０ａと前面パネル１０ｂと第１フレーム５０とによって立体空間が形成され、その立体空間には、熱交換器２０、室内ファン３０及びフィルタ４０が配置されている。また、第１フレーム５０の後方には、取付板１０ｃの前方に第２フレーム６０が配置されている。
【００２８】
熱交換器２０は、側面視において両端が下方に向かって屈曲した逆Ｖ字状に形成され、第１フレーム５０に取り付けられている。熱交換器２０では、通過する空気との間で熱交換が行われる。
【００２９】
室内ファン３０は、熱交換器２０の下方に配置され、室内から取り込んだ空気を、熱交換器２０に当てて通過させた後、室内に吹き出す。
【００３０】
フィルタ４０は、本体ケーシング１０の前面グリル１０ａと熱交換器２０との間に配置され、熱交換器２０に向かって流入してくる空気に含まれる塵埃を除去する。
【００３１】
また、図２に示すように、本体ケーシング１０の下面部には吹出口１１及び下吸込口１２が形成され、本体ケーシング１０の上面部には上吸込口１３が形成されている。
【００３２】
吹出口１１には、図１，２に示すように、２つのフラップ２１，２２が前後方向に並んで配置されている。フラップ２１，２２は、前面グリル１０ａに対して回動自在に取り付けられ、吹出口１１から吹き出される空気の風向（吹出方向）を調整するとともに吹出口１１を開閉可能にする。そして、吹出口１１から第１フレーム５０に沿って吹出経路１４が形成されている。吹出口１１は、吹出経路１４を介して本体ケーシング１０の内部と繋がっている。
【００３３】
吹出口１１の後方に形成された下吸込口１２は、図２に示すように、第１フレーム５０と第２フレーム６０とによって形成された開口である。また、第１フレーム５０と第２フレーム６０との間には下吸込経路１５が形成されており、下吸込口１２は下吸込経路１５を介して本体ケーシング１０の内部と繋がっている。下吸込経路１５は、第１フレーム５０を挟んで吹出経路１４と隣接している。また、下吸込口１２には、開閉機構１６の回動により下吸込口１２を開閉するシャッター１７が配置されている。
【００３４】
下吸込口１２近傍の室内空気は、室内ファン３０の駆動によって下吸込口１２、下吸込経路１５、フィルタ４０及び熱交換器２０を経て室内ファン３０に吸い込まれ、その後、吹出経路１４を通って吹出口１１から吹き出される。
【００３５】
一方、上吸込口１３近傍の室内空気は、室内ファン３０の駆動によって上吸込口１３、フィルタ４０及び熱交換器２０を経て室内ファン３０に吸い込まれ、その後、吹出経路１４を通って吹出口１１から吹き出される。
【００３６】
次に、第１フレーム５０、第２フレーム６０及び断熱部材７０について、図３〜７を参照しつつ説明する。なお、図３（ａ）には、第１フレーム５０、第２フレーム６０及び断熱部材７０等の模式断面図を示しているが、断面を示すハッチングを省略している。
【００３７】
本体ケーシング１０内には、図３（ａ）に示すように、取付板１８から前方に向かって順に第２フレーム６０、断熱部材７０及び第１フレーム５０が配置されている。
【００３８】
<第１フレーム>
第１フレーム５０は、図３に示すように、吹出端部５０ａ、スクロール部５０ｂ、ドレンパン５０ｃ、据付部５０ｄ、連通口５０ｅ及び熱交換器支持部５０ｈを有している。また、第１フレーム５０には、熱交換器２０側に配置される第１面（表面）５０ｆと、第１面５０ｆと反対側の第２面（裏面）５０ｇとが形成されている。第２面５０ｇは、取付板１８側に配置された面である。
【００３９】
吹出端部５０ａは、第１フレーム５０の一端部であり（図３に示す下端部）、吹出口１１の近傍に設けられる。吹出端部５０ａは、スクロール部５０ｂに対して屈曲することで本体ケーシング１０に取り付けられている。
【００４０】
スクロール部５０ｂは、吹出端部５０ａから斜め上方に向かって延在した湾曲状の壁部である。スクロール部５０ｂは、室内ファン３０から送り出される空気を吹出口１１に導く吹出経路１４を構成し、スクロール部５０ｂの第１面（表面）５０ｆは、吹出経路１４の一面を構成している。
【００４１】
ドレンパン５０ｃは、スクロール部５０ｂから分岐するように構成され、スクロール部５０ｂから斜め後方に延在した第１受け部５０ｃ−１と、スクロール部５０ｂから斜め前方に延在した第２受け部５０ｃ−２とを有している。第１受け部５０ｃ−１及び第２受け部５０ｃ−２はいずれも熱交換器２０の下方に配置され、熱交換器２０から滴下する液体を受ける受け皿を構成している。ドレンパン５０ｃの幅は、図３（ｂ）に示すように、熱交換器２０の幅よりやや狭い。
【００４２】
そして、スクロール部５０ｂの第２面（裏面）５０ｇ及びドレンパン５０ｃの第１受け部５０ｃ−１の第２面（裏面）５０ｇには、図３（ａ）に示すように、断熱部材７０が取り付けられている。
【００４３】
据付部５０ｄは、第１フレーム５０の他端部（図３に示す上端部）であり、取付板１８に向かって延在した壁部である。据付部５０ｄが取付板１８に固定されることによって、第１フレーム５０は熱交換器２０などの重量物を支持することができる。
【００４４】
そして、ドレンパン５０ｃの第１受け部５０ｃ−１と据付部５０ｄとの間には略上下方向に延びた接続部５０ｉが設けられている。接続部５０ｉには、図３（ｂ）に示すように、幅方向に延在した連通口５０ｅが形成されている。下吸込口１２から吸い込まれ、下吸込経路１５を経た空気は、連通口５０ｅを通って熱交換器２０に送り込まれる。
【００４５】
また、図３（ｂ）に示すように、第１フレーム５０の幅方向の両端部（左右両端部）には、熱交換器支持部５０ｈが設けられている。熱交換器支持部５０ｈは、第１フレーム５０の右端部に設けられた第１熱交換器支持部５０ｈ−１と、第１フレーム５０の左端部に設けられた第２熱交換器支持部５０ｈ−２とを有しており、これらによって熱交換器２０の左右両端部が支持される。
【００４６】
<第２フレーム>
第２フレーム６０は、図３（ａ）に示すように、第１フレーム５０とともに下吸込口１２及び下吸込経路１５を構成し、背面部６０ａ、連結部６０ｂ及び配管空間構成部６０ｃを有している。また、第２フレーム６０には、第１フレーム５０及び断熱部材７０に対向する第３面（表面）６０ｄと、その反対側の第４面（裏面）６０ｅとが形成されている。第４面６０ｅは、取付板１８に対向する面である。
【００４７】
背面部６０ａは、上下方向に延在した壁部であり、取付板１８に沿って配置される。また、背面部６０ａには、図２及び図３（ａ）に示すように、第１フレーム５０に向かって突出した突出部６０ａ−１が設けられている。
【００４８】
配管空間構成部６０ｃは、背面部６０ａの下方に配置され、背面部６０ａの下端から第１フレーム５０に向かって延在し、その後、下方に向かって屈曲した壁部である。配管空間構成部６０ｃと取付板１８とによって形成された空間には、空調室外機と空調室内機１００とを接続する配管等が収納される。
【００４９】
また、配管空間構成部６０ｃには、断熱部材７０に向かって突出した突起６０ｃ−１が設けられている。本実施形態では、図７に示すように、４つの突起６０ｃ−１，６０ｃ−２，６０ｃ−３，６０ｃ−４が、配管空間構成部６０ｃに幅方向に離れて設けられている。突起６０ｃ−１，６０ｃ−２，６０ｃ−３，６０ｃ−４の幅方向厚みは薄い。
【００５０】
連結部６０ｂは、背面部６０ａの上方に配置され、背面部６０ａの上端から第１フレーム５０に向かって延在し、第１フレーム５０の接続部５０ｉにおいて連通口５０ｅの上方に接続されている。
【００５１】
上記構成から、第１フレーム５０と第２フレーム６０との間には、下吸込口１２から連通口５０ｅまで連通した空間が形成される。これにより、下吸込口１２から吸い込まれた空気は、下吸込経路１５を通過した後、連通口５０ｅを通って、効率よく熱交換器２０に導入される。
【００５２】
<断熱部材>
断熱部材７０は、図２，３に示すように、側面視が第１フレーム５０のスクロール部５０ｂに沿って傾斜した部材であり、発泡ポリスチレン等から構成されている。また、断熱部材７０の裏面には、第２フレーム６０に向かって突出した突出部７０ａ−１が設けられている。本実施形態では、図４に示すように、４つの突出部７０ａ−１，７０ａ−２，７０ａ−３，７０ａ−４が、断熱部材７０の裏面に幅方向に離れて設けられている。また、断熱部材７０の幅中央付近には、溝７１が形成されている（図４参照）。第２フレーム６０を第１フレーム５０の裏面側に装着すると、図２，３に示すように、断熱部材７０の突出部７０ａ−１が第２フレーム６０の突起６０ｃ−１に接する。
【００５３】
次に、断熱部材７０を第１フレーム５０に固定する方法について説明する。
【００５４】
図４に示すように、第１フレーム５０のスクロール部５０ｂの裏面に断熱部材７０を取り付ける。ここで、第１フレーム５０の背面には、幅方向の両端（左右両端）に断熱部材７０に向かって突出した突起（位置決め部）５１，５２が設けられている。また、幅方向の中央付近にも、断熱部材７０に向かって突出した突起（位置決め部）５３が設けられている。そこで、断熱部材７０を第１フレーム５０の背面に取り付ける際、断熱部材７０の幅方向両端（左右両端）を第１フレーム５０の突起５１，５２に沿って配置するとともに、第１フレーム５０の突起５３を断熱部材７０の溝７１に嵌めることにより、断熱部材７０の幅方向についての位置合わせを行うことができる（図５参照）。
【００５５】
また、第１フレーム５０の背面には、上下方向の中央付近に複数の段部（位置決め部）５４ａ，５４ｂ，５４ｃ，５４ｄ，５４ｅ，５４ｆ，５４ｇが幅方向に並んで設けられている。また、第１フレーム５０の背面の下部には、断熱部材７０に向かって突出した複数の突起（位置決め部）５５ａ，５５ｂ，５５ｃ，５５ｄが幅方向に並んで設けられている（図５の突起（位置決め部）５５ｅ，５５ｆ，５５ｇ，５５ｈ，５５ｉも参照）。そこで、断熱部材７０を第１フレーム５０の裏面に取り付ける際、断熱部材７０の上端を第１フレーム５０の段部５４ａ〜５４ｇの下面に沿って配置するとともに、断熱部材７０の下端を第１フレーム５０の突起５５ａ〜５５ｉの上面に沿って配置することにより、断熱部材７０の上下方向についての位置合わせを行うことができる（図２及び図５参照）。
【００５６】
断熱部材７０を第１フレーム５０の裏面に取り付けたら、次に、第２フレーム６０を第１フレーム５０の裏面側に装着する（図６参照）。そうすると、断熱部材７０は、図２に示すように、第１フレーム５０のスクロール部５０ｂと第２フレーム６０の突起６０ｃ−１とで挟持される。また、断熱部材７０は、第１フレームの第１受け部５０ｃ−１（ドレンパン５０ｃの一部）と第２フレーム６０の突出部６０ａ−１（背面部６０ａの一部）とによっても挟持される。
【００５７】
ここで、図７を参照しつつ、第２フレーム６０を第１フレーム５０に装着した状態について説明する。
【００５８】
第２フレーム６０を第１フレーム５０に装着した状態を下吸込口１２側からみると、図７（ａ）に示すように、断熱部材７０の突出部７０ａ−１，７０ａ−２，７０ａ−３，７０ａ−４が、第２フレーム６０の突起６０ｃ−１，６０ｃ−２，６０ｃ−３，６０ｃ−４によって支持されている。具体的には、図７（ｂ）の拡大図に示すように、突出部７０ａ−１の後端部に第２フレーム６０に対向する凹部７０ａ−１１が形成され、凹部７０ａ−１１の内部に第２フレーム６０の突起（支持部）６０ｃ−１が配置されている。そして、突起６０ｃ−１と凹部７０ａ−１１の底面とが接触している。凹部７０ａ−１１の幅は突起６０ｃ−１の幅よりやや広い。
【００５９】
そして、突出部７０ａ−２，７０ａ−３，７０ａ−４の後端部にも、突出部７０ａ−１と同様に、第２フレーム６０に対向する凹部７０ａ−１２，７０ａ−１３，７０ａ−１４が形成されている。凹部７０ａ−１２，７０ａ−１３，７０ａ−１４の内部には第２フレーム６０の突起（支持部）６０ｃ−２，６０ｃ−３，６０ｃ−４が配置されている。そして、突起６０ｃ−２，６０ｃ−３，６０ｃ−４と凹部７０ａ−１２，７０ａ−１３，７０ａ−１４の底面とが接触している。凹部７０ａ−１２，７０ａ−１３，７０ａ−１４の幅は突起６０ｃ−２，６０ｃ−３，６０ｃ−４の幅よりやや大きい。
【００６０】
（第１フレーム及び第２フレームの作用）
（１）第１フレーム５０のスクロール部５０ｂと第２フレーム６０とで断熱部材７０を挟持することにより、第１フレーム５０のスクロール部５０ｂに断熱部材７０を簡易に固定することができる。
【００６１】
従来は、ネジ止め、貼付又は接着によって断熱部材７０を固定していたが、ネジ止めによる固定では、断熱部材７０を複数箇所でネジ止めする必要があるため、組立工程数が増加する。また、貼付又は接着による固定では、断熱部材７０の位置決めが難しい。しかし、本実施形態では、断熱部材７０を第１フレーム５０のスクロール部５０ｂと第２フレーム６０とで挟持するだけでよい。また、断熱部材７０を第１フレーム５０に取り付ける際、断熱部材７０の外面を第１フレーム５０の位置決め部である突起５１，５２及び段部５４ａ〜５４ｇ，５５ａ〜５５ｉに沿って配置し、また、断熱部材７０の溝７１内に第１フレーム５０の位置決め部である突起５３を配置することにより、断熱部材７０の幅方向の位置決め及び上下方向の位置決めを行うことができる。よって、従来の固定方法よりも簡易に固定できる。
【００６２】
（２）熱交換器２０等の重量物は、第１フレーム５０により支持される。第１フレーム５０は、第２フレーム６０を介さずに設置側壁１１０に固定される。つまり、第１フレーム５０は、吹出端部５０ａ、スクロール部５０ｂ、ドレンパン５０ｃ、据付部５０ｄ及び熱交換器支持部５０ｈが一連一体に形成されている。そして、一連一体の第１フレーム５０の熱交換器支持部５０ｈによって、熱交換器２０等の受領物を支持する。よって、重量物を支持するフレームと、設置側壁１１０に固定されるフレームとが別体で形成される場合に比べて、別体のフレームを連結する連結部分での脆弱性が無くなり、第１フレーム５０の強度を高めることができる。
【００６３】
もし、この２つのフレームを、熱交換器等の重量物を支える前側フレームと、前側フレームが受ける重量を支持しつつ壁に固定される背面側フレームとに分離して形成したとする。この場合、重量物の重みにより前側フレームが落下しないように前側フレームと背面側フレームとの連結を強固にする必要がある。しかし、前側フレームと背面側フレームとの連結を強固にする必要がある。しかし、前側フレームと背面側フレームとが別体の構成においては、その連結部分における脆弱性を避けることは困難である。本実施形態によれば上記の通り重量物を支持する第１フレーム５０自体が設置側壁１１０に固定されるため、十分に重量物を支持できる。
【００６４】
また、下吸込経路１５及び下吸込口１２を形成する第１フレーム５０及び第２フレーム６０はそれぞれ別体のフレームからなっているため、金型の制約も満たしている。つまり、第１フレーム５０及び第２フレーム６０等のフレームは、通常、金型を用いて射出成形などによって形成される。しかし、金型の制約上、第１フレーム５０及び第２フレーム６０を一体に形成することが困難である。なぜなら、金型に成形材料を流し込み、第１フレーム５０と第２フレーム６０とを一体に形成した場合には、フレームを金型から取り出すことができないか、あるいは取り出すのが困難だからである。また、例え第１フレーム５０及び第２フレーム６０を一体に形成可能であっても、金型からの取り出しが可能なフレーム形状に限定され、フレーム形状の自由度が低下する。そのため、第１フレーム５０及び第２フレーム６０はそれぞれ第１フレーム５０用の金型および第２フレーム６０用の金型を用いて形成される。本実施形態の構成によれば、下吸込経路１５の一面を成す第１フレーム５０と他面を成す第２フレーム６０とを別体で形成するため、金型の制約を満たしている。また、２つの第１フレーム５０及び第２フレーム６０は面状に形成されており、金型からの取り出しが容易である。
【００６５】
（本実施形態の空調室内機の特徴）
第１フレーム５０のスクロール部５０ｂの裏面に取り付けられる断熱部材７０をスクロール部５０ｂと第２フレーム６０とで挟持することにより、断熱部材７０をスクロール部５０ｂに簡易に固定することができる。
【００６６】
また、第１フレーム５０及び第２フレーム６０により空調室内機１００の下吸込口１２を簡易に且つ所望の形状に形成することができる。
【００６７】
さらに、本実施形態では、第２フレーム６０の背面部６０ａに形成された突出部６０ａ−１〜６０ａ−４が空調室内機１００の下吸込口１２の幅方向に離れて配置され、突出部６０ａ−１〜６０ａ−４が下吸込口１２全体を塞がない。そのため、下吸込口１２の幅方向全体に突出部が配置されている場合に比べて、空調室内機１００内部へ吸い込まれる気流が抵抗を受けるのを抑制できる。
【００６８】
加えて、第２フレーム６０を第１フレーム５０の背面側に装着した状態では、第２フレーム６０の上記突出部６０ａ−１〜６０ａ−４が断熱部材７０の凹部７０ａ−１１〜７０ａ−１４に嵌まるので、突出部６０ａ−１〜６０ａ−４のずれやガタつきを防止できる。また、上記突出部６０ａ−１〜６０ａ−４が凹部７０ａ−１１〜７０ａ−１４の深さ方向に移動することで凹部の深さが深くなっても、平面に新たに溝が形成される場合に比べて、外観への影響が小さい
【００６９】
また、第１フレーム５０に断熱部材７０の位置決めを行う突起５１，５２，５３，５５ａ〜５５ｉ及び段部５４ａ〜５４ｇが設けられているので、第１フレーム５０に対して断熱部材７０の位置決めを簡易に行うことができる。
【００７０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００７１】
例えば、上述の実施形態では、断熱部材７０を第１フレーム５０に取り付けた後に、第２フレーム６０を第１フレーム５０に装着したが、第２フレーム６０に断熱部材７０を取り付けた後に、第２フレーム６０を第１フレーム５０に装着してもよい。
【００７２】
また、上述の実施形態では、断熱部材７０の位置決めを行う位置決め部として、第１フレーム５０に突起５１，５２，５３，５５ａ〜５５ｉ及び段部５４ａ〜５４ｇを設けたが、第２フレーム６０にも位置決め部を設けてよい。また、第２フレーム６０だけに位置決め部を設けてもよい。さらに、位置決め部が第１フレーム５０及び第２フレーム６０に設けられていなくてもよい。
【００７３】
また、上述の実施形態では、断熱部材７０の位置決めを行う位置決め部として、幅方向についての位置決め部（突起５１，５２，５３）と、高さ方向についての位置決め部（突起５５ａ〜５５ｉ及び段部５４ａ〜５４ｇ）とを第１フレーム５０に設けたが、幅方向についての位置決め部だけを設けてもよく、高さ方向についての位置決め部だけを設けてもよい。
【００７４】
加えて、上述の実施形態では、断熱部材７０を挟持する際、第１フレーム５０のスクロール部５０ｂと、第２フレーム６０の突起６０ｃ−１〜６０ｃ−４とで挟持するとともに、第１フレームの第１受け部５０ｃ−１（ドレンパン５０ｃの一部）と第２フレーム６０の突出部６０ａ−１（背面部６０ａの一部）とで挟持したが、断熱部材７０を挟持する構成は上記構成に限られない。例えば、配管空間構成部６０ｃを第１フレーム５０にさらに近付くように延在させることにより、断熱部材７０をスクロール部５０ｂと配管空間構成部６０ｃの第３面（表面）６０ｄとによって挟持してもよい。また、断熱部材７０を、第１フレーム５０のスクロール部５０ｂと、第２フレーム６０の背面部６０ａとで挟持してもよい。
【００７５】
また、上述の実施形態では、断熱部材７０の背面に４つの突出部７０ａ−１，７０ａ−２，７０ａ−３，７０ａ−４が設けられているが、突出部の位置、形状及び大きさ等は変更可能である。
【００７６】
さらに、上述の実施形態では、上記４つの突出部７０ａ−１，７０ａ−２，７０ａ−３，７０ａ−４に第２フレーム６０に対向する凹部７０ａ−１１，７０ａ−１２，７０ａ−１３，７０ａ−１４が形成されているが、凹部が形成されていなくてもよい。
【００７７】
さらに、上述の実施形態では、図７に示すように、上記凹部７０ａ−１１，７０ａ−１２，７０ａ−１３，７０ａ−１４の幅が突起６０ｃ−１，６０ｃ−２，６０ｃ−３，６０ｃ−４の幅よりやや広いが、凹部の幅が突起の幅と略同じでもよい。略同じ幅とすることにより、第２フレーム６０に対して断熱部材７０の位置決めを行うことができる。
【産業上の利用可能性】
【００７８】
本発明を利用すれば、断熱部材をスクロール部に簡易に固定できる構成を提供できるため、空調室内機に有用である。
【符号の説明】
【００７９】
１０          本体ケーシング
１０ｂ        前面パネル
１１          吹出口
１２          下吸込口
１３          上吸込口
２０          熱交換器
３０          室内ファン
５０          第１フレーム
５０ａ        吹出端部
５０ｂ        スクロール部
５０ｃ        ドレンパン
５０ｃ−１    第１受け部
５０ｃ−２    第２受け部
５０ｄ        据付部
５０ｅ        連通口
５０ｆ        第１面
５０ｇ        第２面
５０ｈ        熱交換器支持部
５０ｈ−１    第１熱交換器支持部
５０ｈ−２    第２熱交換器支持部
５１，５２，５３，５５ａ〜５５ｉ    突起（位置決め部）
５４ａ〜５４ｇ                      段部（位置決め部）
６０          第２フレーム
６０ａ        背面部
６０ａ−１    突出部
６０ｂ        連結部
６０ｃ        配管空間構成部
７０          断熱部材
１００        空調室内機
【図１】
2014070761.tif 000003
【図２】
2014070761.tif 000004
【図３】
2014070761.tif 000005
【図４】
2014070761.tif 000006
【図５】
2014070761.tif 000007
【図６】
2014070761.tif 000008
【図７】
2014070761.tif 000009